(57)【要約】【課題】使用電圧を検知する場合に、電圧が瞬停等で不安定な状態になっていないか電源クロックをモニターしながら電圧判断をすることにより、正しい電圧検知を実現する。【解決手段】加熱手段１と、主制御回路２、マイコン３と、電源電圧検知手段４と、電源クロック生成回路５と、表示手段６とを備え、マイコン３が電源電圧検知手段４と電源クロック生成回路５より、通常機器が動作しない低い電源電圧以下と検知した場合には、表示手段６に異常状態を表示する。【選択図】図２
2010097792.tif 000002
【特許請求の範囲】
【請求項１】
被加熱物を収容する加熱室と、前記加熱室に設けられた開閉ドアと、前記加熱室内の被加熱物を加熱する加熱手段と、機器の電源電圧を検知する電源電圧検知手段と、瞬停中または瞬停復帰中かどうかを判断するための電源クロック生成回路と、前記加熱手段を制御する主制御回路と、前記主制御回路を制御するマイコンとを備え、前記マイコンが前記電源電圧検知手段と前記電源クロック生成回路より、通常機器が動作しない低い電源電圧以下と検知した場合には、加熱を行わないことを特徴とした加熱調理器。
【請求項２】
電源クロック生成回路は電源電圧検知中に瞬停中または瞬停復帰中かどうかを判断すると同時に使用機器が５０Ｈｚで使用されるのか６０Ｈｚで使用されるのかを判断するための電源クロックを供給することを特徴とした請求項１に記載の加熱調理器。
【請求項３】
電源電圧検知手段と電源クロック生成回路より、通常機器が動作しない低い電源電圧以下と検知した場合には、機器を動作させないことを特徴とした請求項１または２に記載の加熱調理器。
【請求項４】
表示手段を備え、電源電圧検知手段と電源クロック生成回路より、通常機器が動作しない低い電源電圧以下と検知した場合には、前記表示手段に異常状態を表示することを特徴とした請求項１または３に記載の加熱調理器。
【発明の詳細な説明】
【技術分野】
【０００１】
本発明は、マイクロコンピュータを用いた加熱調理器に関するものである。
【背景技術】
【０００２】
従来、設備型の加熱調理器は加熱部の高火力化および機器の総電力を確保するために２００Ｖ電源を用いた機器が存在する。
【０００３】
しかし、一般家庭等において２００Ｖコンセントが常設されているところは稀であり、１００Ｖのコンセントが一般的である。また、工事で２００Ｖ電源を増設した場合でも、工事ミスにより１００Ｖになっていることが稀にある。
【０００４】
そのため、機器の電源の入力構成を、片線を共通とした第１と第２の電源（それぞれを１００Ｖ）からなる三線式商用電源とし、所定の二線間の電圧を検知し、その電圧が所定電圧以下であれば、特定の加熱を禁止する機能や、異常状態を表示したりする機能がある（例えば、特許文献１、２参照）。
【０００５】
また、その検知シーケンスは、マイクロコンピュータ（以下、マイコンという）内のソフトウェアの処理で機器の使用周波数が５０Ｈｚか６０Ｈｚかの判定を行い、これを確定した後、電源が安定したとみなし、２０ｍｓ毎に電源電圧検知手段からのＡ／Ｄレベルを取得し、異常判定レベル以上が連続５０回検知すれば１００Ｖ電源であると判断し、異常表示を行っていた。
【特許文献１】特開２００４−３２７１０９号公報
【特許文献２】特開昭６３−２６１６９１号公報
【発明の開示】
【発明が解決しようとする課題】
【０００６】
しかしながら、前記従来の構成では、瞬停からの復帰時まれに異常表示を行ってしまうという課題を有していた。
【０００７】
本発明は、前記従来の課題を解決するもので、ソフトウェアの処理を見直し、電源電圧検知手段からのＡ／Ｄレベルでの異常判定中でも正確な５０Ｈｚ／６０Ｈｚのクロック入力がある判定処理を追加することで、瞬停からの復帰時不安定状態では２００Ｖ／１００Ｖ判別を行わない処理とし、瞬停からの復帰時でも異常表示を行わない構成とした加熱調理器を提供することを目的とする。
【課題を解決するための手段】
【０００８】
前記従来の課題を解決するために、本発明の加熱調理器は、被加熱物を収容する加熱室と、前記加熱室に設けられた開閉ドアと、前記加熱室内の被加熱物を加熱する加熱手段と、機器の電源電圧を検知する電源電圧検知手段と、瞬停中または瞬停復帰中かどうかを判断するための電源クロック生成回路と、前記加熱手段を制御する主制御回路と、前記主制御回路を制御するマイコンとを備え、前記マイコンが前記電源電圧検知手段と前記電源クロック生成回路より、通常機器が動作しない低い電源電圧以下と検知した場合には、加熱を行わないことを特徴としたものである。
【発明の効果】
【０００９】
本発明の加熱調理器は、ソフトウェアの処理を見直し、電源電圧検知手段からのＡ／Ｄレベルでの異常判定中でも正確な５０Ｈｚ／６０Ｈｚのクロック入力がある判定処理を追
加することで、瞬停中や瞬停からの復帰時でも異常表示を行わないようにできる。
【発明を実施するための最良の形態】
【００１０】
第１の発明は、加熱調理器において、被加熱物を収容する加熱室と、前記加熱室に設けられた開閉ドアと、前記加熱室内の被加熱物を加熱する加熱手段と、機器の電源電圧を検知する電源電圧検知手段と、瞬停中または瞬停復帰中かどうかを判断するための電源クロック生成回路と、前記加熱手段を制御する主制御回路と、前記主制御回路を制御するマイコンとを備え、前記マイコンが前記電源電圧検知手段と前記電源クロック生成回路より、通常機器が動作しない低い電源電圧以下と検知した場合には、加熱を行わないというものである。これによって、瞬停からの復帰時でも加熱を行うようにできる。
【００１１】
第２の発明は、電源クロック生成回路が、電源電圧検知中に瞬停中または瞬停復帰中かどうかを判断すると同時に使用機器が５０Ｈｚで使用されるのか６０Ｈｚで使用されるのかを判断するための電源クロックを供給するというものである。
【００１２】
これによって、使用機器が５０Ｈｚで使用されるのか６０Ｈｚで使用されるのかを確定できるのと同時に、瞬停中の電源電圧が不安定な状態でも誤判定せず、異常表示を行わないようにできる。
【００１３】
第３の発明は、電源電圧検知手段と電源クロック生成回路より、通常機器が動作しない低い電源電圧以下と検知した場合には、機器を動作させないというものである。これによって、瞬停からの復帰時でも機器を動作させるようにできる。
【００１４】
第４の発明は、表示手段を備え、電源電圧検知手段と電源クロック生成回路より、通常機器が動作しない低い電源電圧以下と検知した場合には、前記表示手段に異常状態を表示するというものである。これによって、瞬停からの復帰時でも異常表示させないようにできる。
【００１５】
以下、本発明の実施の形態について、図面を参照しながら説明する。なお、この実施の形態によって本発明が限定されるものではない。
【００１６】
（実施の形態１）
図１は、本発明の実施の形態１における加熱調理器のブロック構成図である。
【００１７】
図１において、マイコン３は主制御回路２を用いて加熱手段１を制御し、電源電圧検知手段４の情報により２００Ｖ電源なのか１００Ｖ電源なのかを判断し、もし１００Ｖ電源と判定したなら表示手段５にエラー表示を行う構成になっている。
【００１８】
以上のように構成された加熱調理器について、以下にその動作、作用を説明する。
【００１９】
まず、プラグを挿したときにマイコン３は電源クロック生成回路５により５０Ｈｚか６０Ｈｚかの判定を行う。これにより使用される機器は５０Ｈｚで使用されるのか６０Ｈｚなのかを確定する。
【００２０】
次に電源電圧検知手段４により得られたＡ／Ｄレベルが、ある閾値レベルより高い場合２００Ｖ電源、低い場合１００Ｖ電源と判断する。ここで、この閾値レベルの判断は２００Ｖと判断された場合には２０ｍｓのウェイト後に再び判定を行い、３回連続２００Ｖ電源と判断されれば２００Ｖ電源確定とする。
【００２１】
１００Ｖと判断された場合には、この判定途中で瞬停となり電源電圧検知手段４より得
られたＡ／Ｄレベルが極端に下がってしまった場合に１００Ｖと誤検知してしまう場合があるので、瞬停が起こったかどうかを電源クロック生成回路５より再び５０Ｈｚか６０Ｈｚかを判定（但しプラグを挿入したときの５０／６０Ｈｚ判定と同じ判定を行うと約４００ｍｓ以上かかってしまうため、チェック回数を甘くした約６０ｍｓで確定できる判定）し、確定するまで待つ。
【００２２】
そして、プラグを挿したときに判定した周波数と比較し、同じなら安定状態での１００Ｖ判断としてデータ確定し、５０／６０Ｈｚ判定に２０ｍｓ以上かかるため２０ｍｓのウェイトなしでこれを５０回繰り返す。違うなら不安定状態での１００Ｖ判断として、確定データをクリアしてから判定をやり直す。
【００２３】
以上のように、本実施例において、瞬停からの復帰時でも異常表示を行わないようにできる。
【００２４】
（実施の形態２）
図２は、本発明の実施の形態２における加熱調理器の動作を示すフローチャートである。なお、図２において、実施の形態１と同一機能を有する構成要件には同一符号を付し、その説明を省略する。
【００２５】
まず、マイコンはステップＳ１にて、５０Ｈｚか６０Ｈｚの判定を行う。次に、ステップＳ２では、２０ｍｓの間隔でＡ／Ｄレベルを取り込むため２０ｍｓ待ちステップＳ３へ移行する。
【００２６】
ステップＳ３では、電源電圧検知手段より得られたＡ／Ｄレベルが閾値（Ｘ）以上かどうか判断し、Ｘレベル未満ならステップＳ４に移行する。ステップＳ４において、１００Ｖ確定カウンタに１を加算し、２００Ｖカウンタをクリアしてから、ステップＳ５にて５０Ｈｚ／６０Ｈｚ判断を再び行う。
【００２７】
ステップＳ６において、ステップＳ１で確定した周波数と一致するかどうか判断し、一致すれば安定状態での判定とみなし、ステップＳ７に処理を移行する。不一致ならステップＳ９にて２００Ｖカウンタと１００Ｖカウンタをクリアし、ステップＳ３に戻る。
【００２８】
ステップＳ７において、１００Ｖ確定カウンタが５０回以上かどうか判定し、５０回以上ならステップＳ８に移行して１００Ｖ確定とする。５０回未満ならステップＳ３に戻る。このときステップＳ５の判定で２０ｍｓ以上かかるのでステップＳ２には戻さない。
【００２９】
また、ステップＳ３の処理でＸレベル以上ならステップＳ１０に移行する。ステップＳ１００では、２００Ｖ確定カウンタに１を加算し、１００ＶカウンタをクリアしてステップＳ１１に移行する。
【００３０】
ステップＳ１１では、２００Ｖ確定カウンタが３回以上かどうか判断し、３回以上ならステップＳ１２にて２００Ｖを確定する。３回未満ならステップＳ２に戻る。
【産業上の利用可能性】
【００３１】
以上のように、本発明の加熱調理器は、容易に使用電圧誤検知の防止が可能となるため、加熱調理器のみならず他の家電機器への展開も図れる。
【図面の簡単な説明】
【００３２】
【図１】本発明の実施の形態１における加熱調理器のブロック構成図
【図２】本発明の実施の形態２における加熱調理器の動作を示すフローチャート
【符号の説明】
【００３３】
１  加熱手段
２  主制御回路
３  マイコン
４  電源電圧検知手段
５  電源クロック生成回路
６  表示手段
【図１】
2010097792.tif 000003
【図２】
2010097792.tif 000004